(57)【要約】      （修正有）【課題】羽毛布団全体、特に襟元において保温効果が高く、かつ肌触りの良い羽毛布団を提供する。【解決手段】外周面にマチ８が形成された袋体と、袋体の内側空間を格子状に仕切ることによって形成される複数の区画部１２のうち、最も襟元側に形成され、かつ、横幅方向中央部に形成されてなる襟元区画部１６が、他の区画部よりも幅広に形成されてなり、さらに、襟元区画部の一部空間に、少なくとも襟元区画部の横幅と同一若しくは略同一の横幅を有すると共に、襟元区画部内での羽毛の移動を遮断する柔軟な隔壁１９を備える襟元羽毛保持部２０が隔離形成されている。【選択図】図２
0003199117.tif 000002
【実用新案登録請求の範囲】
【請求項１】
袋体の内側空間に羽毛が充填されてなる羽毛布団であって、
前記袋体は、
表布地と、
前記表布地と厚さ方向に離間した位置に配置されて、前記表布地との間に前記内側空間を形成してなる裏布地と、
前記表布地及び裏布地の、前記内側空間に面するそれぞれの内側面の外周縁部に沿って帯状布体の縁端部が縫合されて、袋体の外周壁をマチに形成してなる外周マチ部と、
前記内側空間を、前記表布地及び裏布地の前記内側面に対して起立した細長の布体によって格子状に仕切る仕切部とから構成されてなり、
前記仕切部の起立面によって形成される複数の区画部のうち、最も襟元側に形成され、かつ、横幅方向中央部に形成されてなる襟元区画部が、他の区画部よりも幅広に形成され、
前記襟元区画部の内部空間において少なくとも襟元区画部の横幅と同一若しくは略同一の横幅を有する一部空間が、前記襟元区画部の内部空間の残部空間との羽毛の移動を遮断する柔軟な隔壁によって隔離されてなる襟元羽毛保持部に形成されてなる
ことを特徴とする羽毛布団。
【請求項２】
前記襟元区画部が、前記袋体の横幅方向中央部において左右に二つ形成されてなる
ことを特徴とする請求項１に記載の羽毛布団。
【請求項３】
前記襟元羽毛保持部が、前記袋体の襟元側端辺から足元側に向かって前記襟元区画部の中央部まで膨出した袋状の隔壁によって形成されてなる
ことを特徴とする請求項１若しくは請求項２に記載の羽毛布団。
【請求項４】
前記襟元羽毛保持部が、前記隔壁によって上下に分割された前記襟元区画部の一方の半部によって形成されてなる
ことを特徴とする請求項１若しくは請求項２に記載の羽毛布団。
【請求項５】
前記仕切部のうち、一方向を向いた起立面を有する仕切部には、それぞれ前記起立面を介して隣り合う両側の区画部を貫通する挿通部が形成され、
前記挿通部が、二枚の布地を襟元から足元方向に向かって重ねられた重複部に形成されると共に、前記重複部における前記二枚の布地を押し開くことによって前記起立面を介して隣り合う両側の区画部に対して一時的に解放可能に形成される
ことを特徴とする請求項１〜４のいずれかに記載の羽毛布団。
【考案の詳細な説明】
【技術分野】
【０００１】
本考案は、袋体の内側空間に羽毛が充填されてなる羽毛布団に関する。
【背景技術】
【０００２】
質の高い睡眠をとることは、日中における日々の活動の質の向上につながるため、ストレスの大きい現代社会で生活する全ての人に共通する関心の高い対象である。そこで、睡眠時に使用する寝具として、例えば、袋状に形成されてなる袋体に羽毛が充填された羽毛布団が用いられてきた。
【０００３】
特に、人間は襟元において寒さを感じやすく、就寝中に襟元が冷えることにより、気管を痛めることにもつながるため、羽毛布団の襟元部分における保温機能の向上は重要である。
【０００４】
ここで羽毛布団は、袋体に充填された羽毛によって、体へ負担をかけない軽い重量であると共に、保温機能の高い厚い空気層を兼ね備えた寝具である。
【０００５】
袋体に充填された羽毛が偏ると、羽毛が少なくなった部分の布団厚みが薄くなり、薄くなった部分の羽毛布団の保温機能が低下する。そのため、羽毛の偏りを防止するために、袋体の表側の布地と裏側の布地を、区画に分かれるように留め合わせてなるキルティング構造を備えた羽毛布団が考案されている。
【０００６】
また、キルティング構造では留め合わせ部分の布団厚みが薄くなるため、前記留め合わせ部分を、袋体の厚み方向に嵩上げするマチ構造で構成することで、キルティング構造よりも厚い布団厚みが確保できる羽毛布団も考案されている。
【先行技術文献】
【特許文献】
【０００７】
【特許文献１】特許３４４２３５０号公報
【考案の概要】
【考案が解決しようとする課題】
【０００８】
しかし、前述のキルティング構造及びマチ構造は、袋体の内部に充填された羽毛の偏りを抑制する効果があるものの、留め合わせの間隔が広ければ各区画内において羽毛の偏りが発生する。一方、留め合わせの間隔が狭ければ、留め合わせ部分が増加することにより、保温機能が十分に保てない。
【０００９】
また、留め合わせ部分は各区画の中心部分よりも薄くなり、断面視において周囲よりもくびれた形状を有することにより、使用者の体の表面との間に隙間が生じ易くなる。そのため、留め合わせ部分の間隔が狭くなると羽毛布団の外周縁から前記隙間に冷たい外気が入り込み易くなる。
【００１０】
一方、使用者が羽毛布団を被る動作を行う際には、一般に羽毛布団の襟元部分をできるだけ頭に近づけて被ろうとするために、羽毛布団の襟元部分を掴んで行うことが多い。そのため、従来の羽毛布団の襟元部分が掴まれることにより羽毛の偏りが発生して布団厚みが薄くなりやすいという問題があった。
【００１１】
また、羽毛布団の襟元部分の羽毛の偏りを抑制するため、留め合わせ部分の間隔を狭めると、前述したように、使用者の体の表面と羽毛布団との間に隙間が多く生じることとなり、冷たい外気が入りやすくなるという問題があった。
【課題を解決するための手段】
【００１２】
そこで、上記課題を解決するための手段として本考案に係る羽毛布団は、袋体の内側空間に羽毛が充填されてなる羽毛布団であって、前記袋体は、表布地と、前記表布地と厚さ方向に離間した位置に配置されて、前記表布地との間に前記内側空間を形成してなる裏布地と、前記表布地及び裏布地の、前記内側空間に面するそれぞれの内側面の外周縁部に沿って帯状布体の縁端部が縫合されて、袋体の外周壁をマチに形成してなる外周マチ部と、前記内側空間を、前記表布地及び裏布地の前記内側面に対して起立した細長の布体によって格子状に仕切る仕切部とから構成されてなり、前記仕切部の起立面によって形成される複数の区画部のうち、最も襟元側に形成され、かつ、横幅方向中央部に形成されてなる襟元区画部が、他の区画部よりも幅広に形成され、前記襟元区画部の内部空間において少なくとも襟元区画部の横幅と同一若しくは略同一の横幅を有する一部空間が、前記襟元区画部の内部空間の残部空間との羽毛の移動を遮断する柔軟な隔壁によって隔離されてなる襟元羽毛保持部に形成されてなることを特徴とする。
【００１３】
外周マチ部を有しない従来の羽毛布団は、外周縁において表布地と裏布地が袋体の外周縁で直接縫合されてなるため、袋体の外周縁よりも少し中央寄りの部分から外周縁へ向けて布団厚みが徐々に薄くなっていた。そのため、従来の羽毛布団では、布団の中心部と同等の保温機能は布団の外周縁においては発揮されず、使用者は、布団の外周縁から進入する冷気によって快適な睡眠を得ることができなかった。
【００１４】
一方、本考案は、外周マチ部を備えることによって、羽毛布団全体における外周縁部の布団厚みを、羽毛布団の中心部の布団厚みと同等の厚みに保持することができる。このため、羽毛布団の外周縁部においても布団の中心部と同等の保温機能を維持することができる。従って、本考案に係る羽毛布団と外周マチ部を有しない従来の羽毛布団とでは、それぞれ同一の大きさの表布地及び裏布地を用いた場合であっても、保温機能を発揮できる範囲が本考案に係る羽毛布団の方が大きいという特徴を有する。そのため、使用者が寝返りをうち、体に被っている羽毛布団がかたよっても、羽毛布団の外周縁部から体を冷やしにくいという効果も有する。
【００１５】
外周マチ部は、内側空間に充填する羽毛のグレードによって厚み方向の幅を変更することができる。羽毛のグレードによって、羽毛布団として最適な厚さも変わるためである。なお、羽毛のグレードはダックダウン、グースダウンなどの原料や、かさ高性及びダウン率によって変化する。
【００１６】
仕切部は、表布地及び裏布地の内側面と留め合されてなり、区画部間における羽毛の移動を防止して羽毛布団全体における羽毛の偏りを抑制する効果を有する。仕切部は、仕切部の上端部及び下端部が、表布地及び裏布地の内側面とそれぞれ縫着されて固定されてなると共に、側端部が前記外周マチ部の内側面とも固定されてなることが好ましい。これにより各区画部に充填された羽毛が、仕切部と外周マチ部との間を抜けて他の区画部に移動することをより確実に防止することができ、袋体全体における羽毛の偏りの発生を抑制することができるからである。
【００１７】
襟元羽毛保持部が、襟元区画部の内部空間の横幅と略同一の幅を有する場合としては、隔壁が、襟元区画部の内部空間において横幅方向に対向する起立面と内接することが可能な位置となる横幅を有することが好ましい。襟元羽毛保持部が襟元区画部の内部空間の横幅と同一若しくは略同一の横幅であれば、襟元羽毛保持部が襟元区画部と一体となって使用者の体の表面形状に合わせて変形することができる。そのため、使用者は襟元羽毛保持部の存在を気にすることなく羽毛布団を使用することができ、また、襟元区画部が広い接触面を確保することで襟元において使用者の体に対するゆったりした感触を与えるという効果を襟元羽毛保持部によって損なわれることがない。
【００１８】
ここで、使用者に対して確保しようとする接触面とは、襟元区画部を形成する仕切部と表布地及び裏布地との留め合わせ部分に囲まれた袋体の表面及び裏面をいう。前記留め合わせ部分は、仕切部を固定するために縫着等の処置がされた部分が固くて不快な肌触りを与える。従って、特に寝心地に影響を与える使用者の襟元の体表面と留め合わせ部分が重ならないように襟元区画部を幅広に形成することで、広い接触面を確保することができ、襟元における使用者にゆったりした感触を与えることができる。
【００１９】
さらに、襟元羽毛保持部は、襟元区画部の内部空間の残部空間との羽毛の移動を遮断する隔壁によって隔離されてなるため、襟元区画部の範囲内における羽毛の移動を抑制することができる。これにより、襟元区画部が幅広であるにもかかわらず、襟元羽毛保持部を備えることによって羽毛の偏りが従来よりも抑制されて、布団厚みを長期にわたって保持できる。また、使用者は、前記留め合わせ部分を体に重ねないように羽毛布団を被ることができるため、使用者の襟元において体表面と羽毛布団との間に留め合わせ部分による隙間を形成させず、当該隙間から入り込む外気によって体表面が晒されることを防止することができる。
【００２０】
また、前記襟元羽毛保持部が、前記袋体の襟元側端辺から足元側に向かって前記襟元区画部の中央部まで膨出した袋状の隔壁によって形成されてなることとしても好ましい。これにより、襟元羽毛保持部の内部に充填された羽毛が襟元区画部の内部において足元方向へ偏らず、襟元の布団厚みの減少を防止することができる。
【００２１】
前記襟元羽毛保持部が、前記袋体の襟元側端辺から足元側に向かって膨出した袋状の隔壁によって形成されてなる場合、袋状の隔壁が袋体の襟元側端辺において口窄まりに固定されてなるものであっても好ましく、また、襟元羽毛保持部を構成する隔壁のうち、襟元側の隔壁は、前記袋体の襟元側に形成された前記外周マチ部の一部によって構成されていても好ましい。
【００２２】
また、前記襟元羽毛保持部が、前記隔壁によって上下に分割された前記襟元区画部の一方の半部によって形成されてなることとしても好ましい。これによれば、襟元区画部内に充填された羽毛の上下方向の移動を抑制し、布団厚みの減少の発生を遅くすることができる。さらに襟元羽毛保持部の横幅と襟元区画部の横幅とが同一であるため、襟元区画部が使用者の体と接触する際に、襟元羽毛保持部の存在を違和感として使用者に感じさせることがない。
【００２３】
また、前記羽毛布団は、前記襟元区画部が、前記袋体の横幅方向中央部において左右に二つ形成されてなる構造に形成されても好ましい。このような構造に形成されることにより、本考案に係る羽毛布団をダブルベッドにおいて二人で使用することも可能となるからである。
【００２４】
さらにまた、前記仕切部のうち、一方向を向いた起立面を有する仕切部には、それぞれ前記起立面を介して隣り合う両側の区画部を貫通する挿通部が形成され、前記挿通部が、二枚の布地を襟元から足元方向に向かって重ねられた重複部に形成されると共に、前記重複部における前記二枚の布地を押し開くことによって前記起立面を介して隣り合う両側の区画部に対して一時的に解放可能に形成されることとしても好ましい。
【００２５】
本考案に係る羽毛布団は、前記袋体を形成した後、各区画部に羽毛を注入して充填させることによって製造することができる。羽毛の注入は、例えば足元側の外周マチ部と表布地若しくは裏布地との縫合部の一部に予め解放部を設けておき、当該解放部からパイプ状の羽毛注入管を内側空間に挿入して行う。内側空間に挿入された羽毛注入管は、外周マチ部から最初に挿入された手前側の区画部から、各区画部を形成する仕切部に設けられた挿通部を通されて、最も奥側の区画部がある襟元側端辺の手前まで挿通される。その後、最も奥側の区画部から最も手前の区画部まで、順番に羽毛注入管から排出された羽毛を充填する。
【００２６】
なお、一の区画部において羽毛の充填が完了し、当該一の区画部における挿通部から羽毛注入管が抜き取られると、前記重複部における二枚の布地は自動的に重なり合うことによって、一時的に解放状態となっていた挿通部を閉塞させることができる。これにより、当該一の区画部から他の区画部へ挿通部を介した羽毛の移動を防ぐことができる。
【００２７】
なお、前記解放部は、袋体の横幅方向に、区画部の配列に合わせて複数設けておき、前述の手順により襟元側から足元側までの一列に配列された区画部への羽毛の充填が終われば他の解放部に羽毛注入管を挿入し、同様に羽毛の充填作業を繰り返すことで、全ての区画部に羽毛を充填することができる。
【００２８】
なお、ここに示す羽毛の充填作業において、襟元区画部の残部空間は他の区画部と同様に扱われて充填作業が行われる。
【００２９】
一方、襟元羽毛保持部は、前記襟元区画部の内部空間の残部空間との羽毛の移動を遮断する柔軟な隔壁によって隔離されて形成されてなるため、襟元羽毛保持部内には、前記解放部から羽毛注入管を挿入して羽毛を充填することはできない。そのため、襟元側の外周マチ部と表布地若しくは裏布地との縫合部の一部に、予め襟元羽毛保持部の内部まで解放されてなる襟元側解放部を設けておき、当該襟元側解放部に羽毛注入管を別途挿入し、襟元羽毛保持部内に羽毛を充填する。
【００３０】
袋体内への羽毛の充填作業が完了すると、羽毛が外部へ放出されないように各解放部及び襟元側解放部は縫合される。
【考案の効果】
【００３１】
本考案によれば、襟元において使用者の体に対するゆったりした感触を与えることができる広い接触面を確保すると共に、使用を繰り返しても襟元区画部の布団厚みが厚い状態を保持して高い保温機能を維持することができる羽毛布団を実現することができる。
【００３２】
また、外周マチ部を備えることによって、襟元区画部の襟元側の端面近傍の布団厚みを襟元区画部の中心付近の布団厚みと同等の厚みとすることができ、襟元近傍における保温機能を保持することができる。
【００３３】
さらに、本考案に係る羽毛布団と外周マチ部を有しない従来の羽毛布団とを同一の大きさに形成した場合であっても、保温機能を発揮できる範囲が本考案に係る羽毛布団の方が大きいという特徴を有する。
【図面の簡単な説明】
【００３４】
【図１】羽毛布団１の外観を示す斜視図である。
【図２】袋体２の内側空間９の構造を示す斜視概略図である。
【図３】袋体２をダブルベッド構造にした場合の内側空間９の構造を示す斜視概略図である。
【図４】仕切部１０が内側空間９を格子状に仕切り、区画部１２を形成する構造を示す斜視図である。
【図５】仕切部１０に形成された挿通部２５に羽毛注入管２８を挿通させる様子を示す図である。
【図６】羽毛布団１の表面方向から見た内部構造の概略を示す図である。
【図７】羽毛Ｆが充填された状態の襟元区画部１６及び襟元羽毛保持部２０ａを、襟元側から足元側に向かって切断した拡大端面図である。
【図８】羽毛Ｆが充填された状態の襟元区画部１６及び襟元羽毛保持部２０ｂを、襟元側から足元側に向かって切断した拡大端面図である。
【図９】襟元羽毛保持部２０ｃの内部構造を示す斜視図である。
【図１０】従来の羽毛布団２４と羽毛布団１との外周縁付近の相違を示すため、布団を被って寝た状態の使用者Ｐを頭頂部の方向から見た図である。
【図１１】各区画部１２、及び襟元区画部１６に設けられた挿通部２５及び解放部２７、並びに襟元羽毛保持部２０に設けられた襟元解放部２９の一例の概略を羽毛布団１の表面方向から見た図である。
【図１２】襟元羽毛保持部２０ａ及び襟元区画部１６の残部空間１８に羽毛Ｆを充填する様子を、襟元側から足元側に向かって切断した拡大端面図で示す図である。
【図１３】襟元羽毛保持部２０ｃ及び襟元区画部１６の残部空間１８に羽毛Ｆを充填する様子を、襟元側から足元側に向かって切断した拡大端面図で示す図である。
【考案を実施するための形態】
【００３５】
以下、本考案に係る実施の形態を、図を参照しながら詳しく説明する。
【００３６】
図１は、羽毛布団１の外観を示す斜視図である。羽毛布団１は、表面を形成する表布地３と、前記表布地３と厚さ方向に離間した位置に配置され、表布地３との間に内側空間９を形成してなる裏布地４と、前記表布地３及び裏布地４の、前記内側空間９に面するそれぞれの内側面５，６の外周縁部７に沿って帯状布体の縁端部が縫合されてなる外周マチ部８を備える袋体２を構成してなる。外周マチ部８は、袋体２の外周壁をマチの形状に形成してなる。
【００３７】
さらに袋体２は、図２に示すように、前記内側空間９を、前記表布地３及び裏布地４の前記内側面５，６に対して起立した細長の布体によって格子状に仕切る仕切部１０を有してなる。前記仕切部１０の起立面１１によって内側空間９には複数の区画部１２が格子状に配列して形成されてなる。
【００３８】
仕切部１０の上端部１３及び下端部１４は、図４に示すように、それぞれ内側面５，６と接する部分においてＬ字型に折り曲げられて表布地３及び裏布地４と縫着されてなる。また、仕切部１０の側端部１５は、前記外周マチ部８の内側面１５と接する部分においてＬ字型に折り曲げられ、外周マチ部８と縫着されてなる。これにより各区画部１２に充填された羽毛Ｆが、仕切部１０と、表布地３、裏布地４、若しくは外周マチ部８との間を通り抜けて他の区画部１２に移動することを防止することができ、袋体２全体において羽毛Ｆの偏りが生じることを防止することができる。
【００３９】
なお本実施の形態において、仕切部１０は、上側仕切部１０ａ及び下側仕切部１０ｂが袋体２の厚さ方向に連接部１０ｃにおいて連接されてなる。当該連接は縫着によって行われることが好ましい。仕切部１０を上側仕切部１０ａ及び下側仕切部１０ｂから構成することで、予め上側仕切部１０ａの上端部１３を表布地３に縫着させると共に、別途下側仕切部１０ｂの下端部１４を裏布地４に縫着させておいてから、上側仕切部１０ａ及び下側仕切部１０ｂを連接させることで、仕切部１０が厚み方向に対して一体である場合と比較して、仕切部１０を表布地３及び裏布地４に縫着する工程が容易となる利点がある。
【００４０】
表布地３と仕切部１０とが縫着されてなる留め合わせ部分Ｂは、図１に示すように外側から各区画部１２の境界部として視認でき、また、肌触りにおいても、留め合わせ部分Ｂが使用者Ｐの体表面に触れると、固く不快な感触を与える原因となる。
【００４１】
図６に示すように、仕切部１０の起立面１１によって形成される複数の区画部１２のうち、最も襟元側に形成され、かつ、横幅方向中央部には襟元区画部１６が形成されてなる。襟元区画部１６は、他の区画部１２よりも幅広に形成されてなる。
【００４２】
襟元区画部１６には、襟元区画部１６の内部空間のうち、一部空間１７は、残部空間１８との羽毛Ｆの移動を遮断する柔軟な隔壁１９によって隔離されてなる襟元羽毛保持部２０が形成されてなる。なお、羽毛布団１は、図３に示すように、襟元区画部１６が、袋体２の横幅方向中央部において左右に二つ形成されてなるダブルベッド構造に形成することもできる。
【００４３】
襟元羽毛保持部２０は種々の形態をとることができる。例えば、襟元羽毛保持部２０の第一形態としては、図７に示すように、前記袋体２の襟元側端辺２１から足元側に向かって前記襟元区画部１６の中央部まで膨出した袋状の隔壁１９ａであって、当該隔壁１９ａが、袋体２の襟元側端辺２１において口窄まりに固定されてなる襟元羽毛保持部２０ａが挙げられる。
【００４４】
また、襟元羽毛保持部２０の第二形態として、図８に示すように、前記袋体２の襟元側端辺２１から足元側に向かって前記襟元区画部１６の中央部まで膨出した袋状の隔壁１９ｂ１、及び前記袋体２の襟元側に形成された前記外周マチ部８の一部が隔壁１９ｂ２によって形成されてなる襟元羽毛保持部２０ｂとしても好ましい。
【００４５】
前記襟元羽毛保持部２０ａ、２０ｂは襟元区画部１６に内包された形状に形成されてなり、襟元区画部１６の横幅と略同一の横幅を有する。なお、襟元羽毛保持部２０ａの側周部２２ａは襟元区画部１６の残部空間１８を形成する内壁面２３と縫着されており、また、襟元羽毛保持部２０ｂの側周部２２ｂは襟元区画部１６の残部空間１８を形成する内壁面２３と縫着されてなる。側周部２２ａ、側周部２２ｂがそれぞれ残部空間１８を形成する内壁面２３と縫着されて固定されてなることで、使用者が羽毛布団１を使用している際に体を動かしても襟元羽毛保持部２０ａ、２０ｂの遊動を抑え、襟元羽毛保持部２０ａ、２０ｂの存在を感じさせることによる使用者への違和感を減少させることができる。
【００４６】
さらに、襟元羽毛保持部２０の第三形態を、図９に示すように、隔壁１９ｃ１によって上下に分割された襟元区画部１６の下半部によって形成されてなる襟元羽毛保持部２０ｃとしても好ましい。これによれば、襟元区画部内１６に充填された羽毛Ｆの上下方向の移動を抑制し、布団厚みの減少の発生を遅くすることができる。さらに、襟元羽毛保持部２０ｃの横幅と襟元区画部１６の横幅とが同一であるため、襟元区画部１６が使用者の体と接触する際に、襟元羽毛保持部２０ｃの存在を違和感として使用者に感じさせることがない。なお、襟元羽毛保持部２０ｃは隔壁１９ｃ１以外の隔壁１９ｃ２を、襟元区画部内１６を形成する仕切部１０、裏布地４、及び外周マチ部８と共通させる。
【００４７】
外周マチ部８を有しない従来の羽毛布団２４は、図１０の点線に示すように、外周縁端において表布地と裏布地が袋体の外周縁で直接縫合されてなるため、外周縁付近において外周縁端へ向けて布団厚みが徐々に薄くなっていた。そのため、従来の羽毛布団２４では、布団の中心部と同等の保温機能は布団の外周縁付近においては発揮されず、使用者は、布団の外周縁付近から進入する冷気によって快適な睡眠を得ることができなかった。
【００４８】
一方、本考案は、外周マチ部８を備えることによって、羽毛布団１全体における外周縁部７の布団厚みを、図１０の実線に示すように、羽毛布団１の中心部の布団厚みと同等の厚みに保持することができる。このため、羽毛布団１の外周縁部７においても布団の中心部と同等の保温機能を維持することができる。従って、本考案に係る羽毛布団１と外周マチ部８を有しない従来の羽毛布団２４とでは、それぞれ同一の大きさの表布地及び裏布地を用いた場合であっても、高い保温機能を保持できる範囲が本考案に係る羽毛布団１の方が大きいという特徴を有する。そのため、使用者Ｐが寝返りをうち、体に被っている羽毛布団１がかたよっても、従来よりも羽毛布団１の外周縁部７から入り込む冷気を減少させて体を冷やしにくいという効果も有する。
【００４９】
さらにまた、仕切部１０のうち、足元から襟元への一方向Ｘに向いた起立面１１を有する上側仕切部１０ａｘには、図４に示すように、それぞれ前記起立面１１を介して隣り合う両側の区画部１２を貫通する挿通部２５が形成されてなる。挿通部２５は、二枚の布地を襟元から足元方向に向かって重ねられた重複部２６に形成されテなることが好ましい。重複部２６における前記二枚の布地を、図５に示すようにＸ方向に押し開くことによって前記起立面１１を介して隣り合う両側の区画部１２に対して一時的に解放可能に形成されることとしても好ましい。
【００５０】
本考案に係る羽毛布団１は、前記袋体２を形成した後、各区画部１２に羽毛Ｆを注入して充填させることによって製造することができる。羽毛Ｆの注入は、例えば足元側の外周マチ部８と表布地３若しくは裏布地４との縫合部の一部に予め解放部２７を設けておき、当該解放部２７からパイプ状の羽毛注入管２８を内側空間９に挿入して行う。内側空間９に挿入された羽毛注入管２８は、図６に示すように、外周マチ部８から最初に挿入された手前側の区画部１２から、各区画部１２を形成する仕切部１０に設けられた挿通部２５を通されて、最も奥側の区画部１２がある襟元側端辺２１の手前まで挿通される。その後、最も奥側の区画部１２から最も手前の区画部１２まで、順番に羽毛注入管２８から排出された羽毛Ｆを充填する。
【００５１】
なお、一の区画部１２において羽毛Ｆの充填が完了し、当該一の区画部１２における挿通部２５から羽毛注入管２８が抜き取られると、前記重複部２６における二枚の布地は自動的に重なり合うことによって、一時的に解放状態となっていた挿通部２５を閉塞させることができる。これにより、当該一の区画部１２から他の区画部１２へ挿通部２５を介した羽毛Ｆの移動を防ぐことができる。
【００５２】
前記解放部２７は、図１１に示すように、袋体２の横幅方向に、区画部１２の配列に合わせて複数設けておき、前述の手順により襟元側から足元側までの一列に配列された区画部１２への羽毛Ｆの充填が終われば他の解放部２７に羽毛注入管２８を挿入し、同様に羽毛Ｆの充填作業を繰り返すことで、全ての区画部１２に羽毛Ｆを充填することができる。
【００５３】
なお、ここに示す羽毛Ｆの充填作業において、襟元区画部１６の残部空間１８は他の区画部１２と同様に扱われて充填作業が行われる。
【００５４】
一方、襟元羽毛保持部１６は、前記襟元区画部１２の内部空間の残部空間１８との羽毛Ｆの移動を遮断する柔軟な隔壁１９によって隔離されて形成されてなるため、襟元羽毛保持部１６内には、前記解放部２７から羽毛注入管２８を挿入して羽毛Ｆを充填することはできない。そのため、図１１に示すように、襟元側の外周マチ部８と表布地３若しくは裏布地４との縫合部の一部に、予め襟元羽毛保持部１６の内部まで解放されてなる襟元側解放部２９を設けておき、当該襟元側解放部２９に羽毛注入管２８を挿入し、襟元羽毛保持部１６内に羽毛Ｆを充填する。
【００５５】
前記襟元羽毛保持部１６ａへ羽毛Ｆを充填する際には、図１２に示すように、襟元側端辺２１における外周マチ部８と表布地３との縫い合わせ部分を開放して襟元側解放部２９ａを形成すると共に、隔壁１０ａの口窄まりに閉じられていた部分を開放して羽毛注入管２８を襟元羽毛保持部１６ａの内部へ挿入して羽毛Ｆを送り込むことによって行う。
【００５６】
また、前記襟元羽毛保持部１６ｂへ羽毛充填する際には、隔壁１０ｂ２と表布地３若しくは裏布地４との縫い合わせ部分を開放して襟元側解放部２９ｂを形成して羽毛注入管２８を襟元羽毛保持部１６ｂの内部へ挿入して羽毛Ｆを送り込むことによって行う。
【００５７】
さらに、前記襟元羽毛保持部１６ｃへ羽毛Ｆを充填する際には、図１３に示すように、襟元側端辺２１における外周マチ部８と裏布地４との縫い合わせ部分を開放して襟元側解放部２９ｃを形成して羽毛注入管２８を襟元羽毛保持部１６ｃの内部へ挿入して羽毛Ｆを送り込むことによって行う。
【００５８】
袋体２内への羽毛Ｆの充填作業が完了すると、羽毛Ｆが外部へ放出されてないように各解放部２７及び襟元側解放部２９は縫合される。
【００５９】
襟元区画部１６が幅広に形成されてなることにより、使用者Ｐは前記留め合わせに対応する仕切部を体に重ねないように羽毛布団を被ることができるため、襟元での肌触りのより寝心地を実現することができる。襟元区画部１６が幅広であるにもかかわらず、襟元羽毛保持部２０を備えることによって羽毛Ｆの偏りが従来よりも抑制されて、布団厚みを長期にわたって保持できる。また、使用者は、前記留め合わせに対応する仕切部を体に重ねないように羽毛布団１を被ることができるため、使用者Ｐの襟元において体表面と羽毛布団１との間に仕切部による隙間を形成させず、当該隙間から入り込む外気によって体表面が晒されることを防止することができる。
【符号の説明】
【００６０】
１  羽毛布団
２  袋体
３  表布地
４  裏布地
７  外周縁部
８  外周マチ部
９  内側空間
１０  仕切部
１１  起立面
１２  区画部
１６  襟元区画部
１８  残部空間
１９  隔壁
２０  襟元羽毛保持部
２５  挿通部
２６  重複部
２７  解放部
２９  襟元側解放部
【図１】
0003199117.tif 000003
【図２】
0003199117.tif 000004
【図３】
0003199117.tif 000005
【図４】
0003199117.tif 000006
【図５】
0003199117.tif 000007
【図６】
0003199117.tif 000008
【図７】
0003199117.tif 000009
【図８】
0003199117.tif 000010
【図９】
0003199117.tif 000011
【図１０】
0003199117.tif 000012
【図１１】
0003199117.tif 000013
【図１２】
0003199117.tif 000014
【図１３】
0003199117.tif 000015